(57)【要約】【課題】指揮者の指示する拍を同時に複数の者に確実に知らしめる同期拍報知システムの提供。【解決手段】親機側においてユーザが任意のタイミングで指示した拍信号を子機側に無線送信し、該信号を受信した子機側で拍が指示されたことを視覚的表示、音声による表示、体感的表示等により報知する。【選択図】　　　図１
2004101726.tif 000002
【特許請求の範囲】
【請求項１】
ユーザが任意のタイミングで拍を入力する拍入力部と、該拍入力部において入力された拍を無線情報として送信する親機無線通信部と、前記拍入力部及び前記親機無線通信部を包含する親機筐体からなる親機と、前記親機無線通信部から送信された情報を受信する子機無線通信部と、該子機無線通信部で受信された情報に応じた拍を報知する拍報知部と、前記子機無線通信部と前記拍報知部を包含する子機筐体からなる子機を有することを特徴とする同期拍報知システム。
【請求項２】
前記拍入力部は１つ以上のスイッチであることを特徴とする請求項１記載の同期拍報知システム。
【請求項３】
前記拍入力部は圧力センサの出力を１つ以上のコンパレータで弁別し、強拍あるいは弱拍の入力という２種類のイベントを判別出力するものであることを特徴とする請求項１記載の同期拍報知システム。
【請求項４】
前記親機無線通信部は拍を指示する信号に該親機のＩＤ情報を加えて発信することを特徴とする請求項１から３のいずれかに記載の同期拍報知システム。
【請求項５】
前記子機無線通信部は受信した情報から発信源のＩＤ情報を抽出し、該ＩＤ情報が通信相手としたい親機のＩＤ情報と一致する場合のみ拍が指示された旨を前記拍報知部に伝えることを特徴とする請求項１から４のいずれかに記載の同期拍報知システム。
【請求項６】
前記拍報知部は拍が指示された旨をＬＣＤ表示で報知するものであることを特徴とする請求項１から５のいずれかに記載の同期拍報知システム。
【請求項７】
前記拍報知部は拍が指示された旨をＬＥＤ表示で報知するものであることを特徴とする請求項１から５のいずれかに記載の同期拍報知システム。
【請求項８】
前記拍報知部は拍が指示された旨を音声で報知するものであることを特徴とする請求項１から５のいずれかに記載の同期拍報知システム。
【請求項９】
前記拍報知部は拍が指示された旨を体感表示で報知するものであることを特徴とする請求項１から５のいずれかに記載の同期拍報知システム。
【請求項１０】
前記拍報知部は表現の強さを調整するボリュームを有するものであることを特徴とする請求項１から９のいずれかに記載の同期拍報知システム。
【請求項１１】
前記親機筐体と前記子機筐体は防水性を有するものであることを特徴とする請求項１から１０のいずれかに記載の同期拍報知システム。
【請求項１２】
前記親機はユーザが任意のタイミングで拍を入力する拍入力部と、一定周期のタイミングで拍を指示するため、その周期設定と、拍発生の開始及び停止の指示をする一定周期拍発生部と、前記拍入力部乃至前記一定周期拍発生部において拍の発生が指示された事実を無線で送信する親機無線通信部と、前記拍入力部と前記一定周期拍発生部と前記親機無線通信部を包含する親機筐体からなることを特徴とする請求項１から１１のいずれかに記載の同期拍報知システム。
【請求項１３】
前記親機はユーザが任意のタイミングで拍を入力する拍入力部と、一定周期のタイミングで拍を指示するため、その周期設定と、拍発生の開始及び停止の指示をする一定周期拍発生部と、前記拍入力部乃至前記一定周期拍発生部において拍が発生指示された事実を無線で送信する親機無線通信部と、前記拍入力部乃至前記一定周期拍発生部において拍が発生指示されたことを表示する拍発生表示部と、前記拍入力部と前記一定周期拍発生部と前記親機無線通信部と前記拍発生表示部を包含する親機筐体からなることを特徴とする請求項１から１２のいずれかに記載の同期拍報知システム。
【請求項１４】
前記子機は、前記親機無線通信部から発信された情報を受信する子機無線通信部と、一定周期のタイミングで拍を発生するため、その周期設定と、拍発生の開始及び停止の指示をする子機側一定周期拍発生指示部と、前記子機無線通信部乃至前記子機側一定周期拍発生指示部から拍が指示された事実を検知したことを知らせる情報を受けた時に、その事実を報知する拍報知部と前記子機無線通信部と前記子機側一定周期拍発生指示部と前記拍報知部を包含する子機筐体からなることを特徴とする請求項１から１３のいずれかに記載の同期拍報知システム。
【発明の詳細な説明】
【０００１】
【発明の属する技術分野】
本発明は合奏、マーチングバンド、シンクロナイズドスイミング等複数のプレーヤーが共通のリズムに同期してプレーする時に、そのプレーヤー達に同期した拍の報知をする同期拍報知システムに関する。
【０００２】
【従来の技術】
複数の人が共通のリズムに同期して演奏等行う際メトロノームを利用することがある。メトロノームは振り子運動をする拍指示棒や、ＬＥＤの点滅や、クリック音声等により拍の報知を実現している。また、テンポ信号またはその生成開始タイミングを示す制御信号を通信手段を介して他の通信装置に送出し、該テンポ信号と該制御信号を受信した通信装置側で該テンポ信号に対応した楽音を発生することで、離れた位置にいる複数のユーザに同期した一定テンポの拍を報知せしめるという提案がある（例えば、特許文献１参照）。
【０００３】
【特許文献１】
特開２００１−１５４６７２号公報（第５−６頁、第１−５図）
【０００４】
【発明が解決しようとする課題】
しかし、従来のメトロノームでは以下に示す課題があった。
（１）拍指示棒や、ＬＥＤの点滅等による視覚的報知の場合、大編成での合奏や、プレーヤーに動きのあるマーチングバンド、シンクロナイズドスイミング等において全てのプレーヤーの視界内に１つのメトロノームを設置することが困難である。
（２）暗いところや、逆に炎天下でメトロノームを利用する場合、ＬＣＤやＬＥＤ等を利用した視覚的報知では表示の確認が困難な場合がある。
（３）クリック音声による報知の場合、プレーヤーの活動範囲が広くなるほど大音響で報知する必要があり、プレーヤー自身が奏でる音の確認に支障を及ぼす。また、メトロノーム本体とプレーヤーの位置関係によって音の伝播時間が異なり、その伝播時間の差は距離が広がるほど顕著になり全てのプレーヤーに同期した拍表示ができなくなる。
【０００５】
一方特開２００１−１５４６７２公報の中で開示されている方法によれば、複数のプレーヤーへ一定テンポの拍の一斉報知が可能になるが、以下に示す課題があった。
（１）曲調や演技の表現上テンポを自在に変化させたい場合の拍の表示ができない。曲毎にテンポを変えるといったようなことは操作上可能であるが、オーケストラの指揮者が曲の中で情感を表現するため微妙にテンポを変化させたりというような状況には対処できない。
（２）一定の拍子のまま強拍、弱拍を報知すると変拍子が存在する曲の場合には変拍子小節のところで強拍、弱拍の関係が狂ってしまう。
（３）複数のプレーヤーが同期拍報知の機能を利用する際、通信相手を呼び出し、通信関係の確立をし、更に該通信装置上で特殊モードを選択するといった手続きが必要であるため大人数での利用は煩雑さが伴う。
（４）拍の報知手段がプレーヤー毎にあっても、陸上や水中で激しく運動する場面ではプレーヤーの視界の中に拍報知装置を設置することが困難である。
（５）拍報知装置がプレーヤー毎にあっても、騒音下や水中では音声による表示では拍報知が確認しづらい。
（６）もともと水中での使用は考慮されていない。
【０００６】
本発明は上記の課題に鑑みなされたもので、陸上でも水中においても簡便に、かつ確実に指揮者が随意指示する拍を複数のプレーヤーへ一斉に報知する同期拍報知システムを提供することを課題とする。
【０００７】
【課題を解決するための手段】
本発明は、前記課題を解決するため、以下の手段を採用した。
【０００８】
すなわち、本発明は、親機側においてユーザが任意のタイミングで指示した拍信号を子機側に無線送信し、該信号を受信した子機側で拍が指示されたことを報知することで、指揮者が随意指示する拍を複数のプレーヤーへ一斉に報知する同期拍報知システムを構成することをその要旨とする。
【０００９】
本発明は、ユーザが任意のタイミングで拍を入力する拍入力部と、該拍入力部において入力された拍を無線情報として送信する親機無線通信部と、前記拍入力部及び前記親機無線通信部を包含する親機筐体からなる親機と、前記親機無線通信部から送信された情報を受信する子機無線通信部と、該子機無線通信部で受信された情報に応じた拍を報知する拍報知部と、前記子機無線通信部と前記拍報知部を包含する子機筐体からなる子機を有することを特徴とする。
【００１０】
本発明は、前記拍入力部が１つ以上のスイッチであることを特徴とする。
【００１１】
本発明は、前記拍入力部が圧力センサの出力を１つ以上のコンパレータで弁別し、強拍あるいは弱拍の入力という２種類のイベントを判別出力するものであることを特徴とする。
【００１２】
本発明は、前記親機無線通信部が、拍を指示する信号に該親機のＩＤ情報を加えて発信することを特徴とする。
【００１３】
本発明は、前記子機無線通信部が受信した情報から発信源のＩＤ情報を抽出し、該ＩＤ情報が通信相手としたい親機のＩＤ情報と一致する場合のみ拍が指示された旨を前記拍報知部に伝えることを特徴とする。
【００１４】
本発明は、前記拍報知部が、拍が指示された旨をＬＣＤ表示で報知するものであることを特徴とする。
【００１５】
本発明は、前記拍報知部が、拍が指示された旨をＬＥＤ表示で報知するものであることを特徴とする。
【００１６】
本発明は、前記拍報知部が、拍が指示された旨を音声で報知するものであることを特徴とする。
【００１７】
本発明は、前記拍報知部が、拍が指示された旨を体感表示で報知するものであることを特徴とする。
【００１８】
本発明は、前記拍報知部が表現の強さを調整するボリュームを有するものであることを特徴とする。
【００１９】
本発明は、前記親機筐体と前記子機筐体が防水性を有するものであることを特徴とする。
【００２０】
本発明は、前記親機が、ユーザが任意のタイミングで拍を入力する拍入力部と、一定周期のタイミングで拍を指示するため、その周期設定と、拍発生の開始及び停止の指示をする一定周期拍発生部と、前記拍入力部乃至前記一定周期拍発生部において拍が発生指示された事実を無線で送信する親機無線通信部と、前記拍入力部と前記一定周期拍発生部と前記親機無線通信部を包含する親機筐体からなることを特徴とする。
【００２１】
本発明は、前記親機が、ユーザが任意のタイミングで拍を入力する拍入力部と、一定周期のタイミングで拍を指示するため、その周期設定と、拍発生の開始及び停止の指示をする一定周期拍発生部と、前記拍入力部乃至前記一定周期拍発生部において拍が発生指示された事実を無線で送信する親機無線通信部と、前記拍入力部乃至前記一定周期拍発生部において拍が発生指示されたことを表示する拍発生表示部と、前記拍入力部と前記一定周期拍発生部と前記親機無線通信部と前記拍発生表示部を包含する親機筐体からなることを特徴とする。
【００２２】
本発明は、前記子機が、前記親機無線通信部から発信された情報を受信する子機無線通信部と、一定周期のタイミングで拍を発生するため、その周期設定と、拍発生の開始及び停止の指示をする子機側一定周期拍発生指示部と、前記子機無線通信部乃至前記子機側一定周期拍発生指示部から拍が指示された事実を検知したことを知らせる情報を受けた時に、その事実を報知する拍報知部と、前記子機無線通信部と前記子機側一定周期拍発生指示部と前記拍報知部を包含する子機筐体からなることを特徴とする。
【００２３】
【発明の実施の形態】
以下にこの発明の実施形態を図面に基づいて説明する。
【００２４】
図１は、本発明の同期拍報知システムのブロック図である。拍入力部１０１において指揮者が拍を指示する。ここではプレーヤーに対して指揮者がタクトを振るように、あるいは手拍子を打ってテンポを取るごとく任意のタイミングで拍を指示する。ここで拍が指示されると、そのイベントが一拍毎親機無線通信部１０２において無線情報に変換され、他のユニットに無線転送される。拍入力部１０１と親機無線通信部１０２は親機筐体１０３に納められ親機ユニットが構成される。一方、前記親機無線通信部１０２から送信された無線情報は子機無線通信部１０４に受信される。該子機無線通信部１０４は受信した情報から拍情報を抽出し、その結果に応じて拍報知部１０５に拍が指示された旨を表示するよう促す。拍報知部１０５は視覚的な表示、音声による表示、皮膚を刺激する等の体感的表示のいずれか、またはこれらの表示方法を組み合わせて拍が指示されたことを表示する。前記子機無線通信部１０４と拍報知部１０５は子機筐体１０６に納められ子機ユニットが構成される。
【００２５】
拍入力部１０１においてスイッチ等の入力手段を複数個設けることによって、単に周期を刻むだけでなく、強弱のあるリズム感を持った拍も指示することが可能である。例えば強拍入力用スイッチ及び弱拍入力用スイッチ２個を、それぞれ所望のリズムに応じて選択的に操作することにより、マーチなら強−弱−強−弱、ワルツなら強−弱−弱というようなリズム感もテンポと同時に指示ができる。また、拍入力部１０１において圧電素子のような圧力センサを利用することにより、単一箇所のみに強さの異なる衝撃を加えるという簡便な方法でテンポと強弱のあるリズム感を持った拍を指示することが可能である。
【００２６】
図２に示すように圧力センサ２０１に衝撃を与えたときに圧力センサ２０１が歪む際に生じる起電圧を波形整形回路２０２に入力する。波形整形回路２０２は微分回路と積分回路が縦列に接続された構成により、１回の衝撃に対して、その衝撃の強さに比例した波高のパルス信号が１つ出力されるように調整されている。
【００２７】
波形整形回路２０２から出力されたパルス信号は波高弁別回路２０３に入力される。波高弁別回路２０３の中ではコンパレータにより、設定された基準電圧値ＶＬとその波高が比較される。基準電圧値ＶＬ以上の波高のパルス信号が入力された時にのみ、この入力が有効だと判断することで、拍を指示する際の圧力センサ２０１に与える衝撃の下限値を決める。波高弁別回路２０３中の別のコンパレータは入力されたパルス信号の波高と基準電圧値ＶＨの大きさを比較し、基準電圧値ＶＨ以上の波高のパルス信号が入力された時は強拍の指示がなされたというように判断する。基準電圧値ＶＬ以上かつＶＨ未満の波高値のパルス信号が入力された時は弱拍の指示がなされたというように判断する。このように波高弁別回路２０３で強拍および弱拍の弁別がされると、その結果に応じたパルス信号がワンショットパルス発生器から出力される。
【００２８】
次に前記拍入力部１０１で指示された強拍や、弱拍は前記親機無線通信部１０２において無線情報に変換される。前記親機と前記子機との間で通信される情報は強拍のイベントと弱拍のイベントが代表的なものであるが、この情報のやり取りを信頼性よく、確実に実現するために前記親機と前記子機間で通信規約を取り決めておくことが有効である。また、本発明の同期拍報知システムにおいて親機あるいは子機は、各々複数存在することが想定されており、複数の指揮者の中からプレーヤーが所望の指揮者を選択し、その指示に従うような状況にも対応できるようになっている。そのために前記親機無線通信部１０２は当親機のＩＤコード設定手段を有し、前記子機無線通信部１０４は親機選択手段を有している。前記親機ＩＤコード設定手段及び前記親機選択手段は具体的には、ダイヤル式エンコードスイッチやビットスイッチ等によるものや、ＬＣＤ表示とマイコンＩＣと記憶素子と操作スイッチを組み合わせた入力操作手段等が使用できる。親機側では拍のイベント情報を送信する際に当親機用に設定されたＩＤコード情報も一緒に送信情報に含め親機と子機間で取り決められた通信規約に従ってシリアルデータを構成する。図３にシリアルデータの一例を示す。通信方式はあらゆる無線データ通信方式の採用が可能であるが、例えば微弱電波を利用した無線伝送方式を採用すれば、ハードウェアの構成が適正な規模で、かつ当発明の利用の形態を考慮すると、性能的にも必要十分な条件を満たす。尚、図４に示すように、高周波発振回路、ＤＢＭ（Ｄｏｕｂｌｅ　Ｂａｌａｎｃｅｄ　Ｍｉｘｅｒ）、アンプ、アンテナ等、微弱電波信号を送信するのに必要な一般的な構成要素が前記親機無線通信部１０２に含まれるのは言うまでもない。前記子機無線通信部１０４も微弱電波信号を受信するのに必要な一般的構成要素を含んでいる。更に、前記子機無線通信部１０４は受信した情報から所望の親機からの情報のみを選別するために、親機選択手段と、ＩＤコード比較手段と、イベント判別手段と、前記ＩＤコード比較手段と前記イベント判別手段に接続され、検波回路からの情報を入力し、前記拍報知部１０５に強拍イベント出力や弱拍イベント出力をするイベント出力手段とにより構成される。
【００２９】
拍報知の具体的方法は視覚的手段による表示、音声による表示、皮膚を刺激する等の体感的表示等数種類考えられるが、本発明の同期拍報知システムの利用される状況によってこれらのうちいずれか、またはこれらの表示方法が組み合わされて選択利用される。
【００３０】
まず視覚的な表示方法であるが、図５に示すようにＬＣＤによる表示が考えられる。強拍の指示に対応して大きい方の円形セグメントが点滅し、一方弱拍の指示に対応して小さい方の円形セグメントが点滅する。ＬＣＤによる表示はこの他にも絵柄の自由度が高く、また消費電力も比較的小さく抑えることが可能なので、電池駆動の小型機器での利用が適している。ＬＥＤによる表示も各々強拍、弱拍に対応したＬＥＤの点滅により可能である他、図６に示すように複数のＬＥＤを線上に配置し、これらＬＥＤを順次点灯させる等の方法で、拍から拍への移り変わりの経過までも表現することも可能である。また、複数種類の発光色のＬＥＤを使用して、強拍、弱拍の区別をする等の表現も可能である。ＬＥＤを使用した場合は、特に暗い所で使用する場面での視認性に優れる。
【００３１】
音声による表示は、強拍及び弱拍に対応した音色の音声をスピーカー等の発音体の振動により表示する方法であり、前記子機が必ずしもプレーヤーの視界内に設置されていなくても使用できる。また、強拍、弱拍の違いを音色の違いだけでなく、周波数すなわち音の高さや、音圧すなわち音の大きさで表現することも可能である。
【００３２】
体感的表示方法は、プレーヤーの皮膚に何らかの刺激を加え拍を報知する方法である。具体的実現手段としては、図７に示すように電磁アクチュエータ等を用いて棒状の固体で、プレーヤーの皮膚を軽く叩く方法や、図８に示すように、プレーヤーの体に接触する感応部分に備え付けられた、偏芯錘が軸についたバイブレーションモータを拍の報知タイミングに合わせて一定時間回転させて振動感覚を作り出すという方法がある。強拍、弱拍の区別は電磁アクチュエータを使用する場合には、アクチュエータ用コイルの励磁電流を加減し、棒状固体の移動速度を変化させてやることによって実現する。バイブレーションモータを使用する場合には、モータの駆動電流の変化、すなわちモータの回転速度の変化により振動感覚の強さの加減が可能であり、また、モータの回転時間の増減によっても強拍、弱拍の区別を表現することができる。体感的表示方法によれば、プレーヤーの視界の変化に関わらず、また、騒音下にあっても騒音になんら惑わされることなく拍の確認が可能であるばかりでなく、近隣の他のプレーヤーに何の影響も与えることなく利用が可能である。
【００３３】
以上述べた表示方法のいずれの場合にも共通していることだが、表示の度合いは、本発明の同期拍報知システムが使用される環境や、状況、プレーヤーの感覚等によって適正なレベルがさまざまである。そこで、各々の表示手段においては表示の強さを調整するボリュームを有することにより適正なレベルの刺激を受けることができるよう調整が可能になっている。ＬＥＤを使用した場合はＬＥＤに流す電流値を、音声による表示の場合はスピーカーに流す電流値を、体感的表示の場合はアクチュエータ用コイルやバイブレーションモータに流す電流値をボリュームで調節する。
【００３４】
前記親機筐体１０３及び前記子機筐体１０６は樹脂等の吸湿性の低い材料で構成することにより前記親機及び前記子機に防水機能を与え、水中での使用を可能にする。筐体として各々２つ以上の部品を組み合わせて構成する場合には、パッキンを介してこれら部品を篏合させる。拍入力部１０１におけるスイッチ等の入力手段部分にもパッキン等により防水を施す。また、子機筐体１０６は視覚的な表示を有効にするために少なくとも表示部分は透明の樹脂やガラスで構成したり、体感的表示の効果を向上させるために軽量に構成する。
【００３５】
図９に示すように、親機は、ユーザが任意のタイミングで拍を指示するための拍入力部９０１の他に、一定周期のタイミングで拍を指示するため、その周期設定と、拍発生の開始及び停止の指示をする一定周期拍発生部９０２を持つよう構成することもできる。また、図１０に示すように、親機は一定周期拍発生部１００２で拍を発生している時に、拍が発生指示されていることを表示するための拍発生表示部１００４も持つ。該拍発生表示部１００４は前記拍報知部１０５で採用される手段と同様に、視覚的表示、音声による表示、体感的表示のいずれか、またはこれらの任意の組み合わせで実現される。
【００３６】
図１１に示すように、子機は単体でも一定周期のタイミングで拍を指示するための、その周期設定と、拍発生の開始及び停止の指示をする子機側一定周期拍発生指示部１１０２を持ち、拍報知部１１０３において、拍の視覚的表示、音声による表示、体感的表示等をするよう構成することもできる。
【００３７】
次に本例の作用について説明する。
【００３８】
まず、親機の拍入力部でユーザが任意のタイミングで拍を指示すると、この拍の指示が子機に無線で伝えられる。伝えられた拍の指示は子機の拍報知部で表示されるので、親機ユーザ、すなわち指揮者の拍の表示はリアルタイムに各々通信対象となっている子機上で報知される。
【００３９】
１つ以上のスイッチにより指揮者が強拍、弱拍を区別して入力すると、子機側で強拍、弱拍が区別されて報知される。
【００４０】
圧力センサを使用した拍入力部の場合、入力部に与える衝撃の強弱に対応して、子機側で強拍、弱拍が区別されて報知される。
親機側で強拍や弱拍の指示のイベント情報に、当親機のＩＤ情報も含めて無線発信する。子機側は受信した情報から発信源のＩＤ情報を抽出し、該ＩＤ情報があらかじめ通信相手として設定された親機のＩＤ情報と一致する場合にのみ拍が指示された旨を拍報知部にて表示する。これにより、指揮者とその指示を受けるものとの対応が規定される。
【００４１】
拍報知部は、拍が指示された旨をＬＣＤ表示やＬＥＤ表示等による視覚的表示や、音声による表示や、体感的表示のいずれか、またはこれらの任意の組み合わせで実現する。そしてこれら表示の強度はボリュームにて調節される。
本例の同期拍報知システムは防水性を有する。
【００４２】
親機上で所望の周期設定と拍発生の開始及び停止の指示をすることにより、一定周期のタイミングで拍を同時に複数の子機に指示する。また、その時該親機上では指示している一定周期の拍を確認表示する。
【００４３】
子機単体でも、所望の周期設定と拍発生の開始及び停止の指示をすることにより、子機自身が一定周期のタイミングで拍の視覚的表示、音声による表示、体感的表示等をする。
【００４４】
【発明の効果】
以上説明したように、この発明によれば、ユーザが任意のタイミングで拍を入力する拍入力部と、該拍入力部において入力された拍を無線情報として送信する親機無線通信部と、前記拍入力部及び前記親機無線通信部を包含する親機筐体からなる親機と、前記親機無線通信部から送信された情報を受信する子機無線通信部と、該子機無線通信部で受信された情報に応じた拍を報知する拍報知部と、前記子機無線通信部と前記拍報知部を包含する子機筐体からなる子機を有する構成としたので、指揮者が指示する任意のテンポの拍を複数のプレーヤーへ一斉に報知することができる。
【００４５】
また、前記拍入力部を１つ以上のスイッチで構成したり、あるいは前記拍入力部を、圧力センサの出力を１つ以上のコンパレータで弁別するという構成としたことにより、指揮者が強拍、弱拍の区別をつけて任意のテンポの拍を複数のプレーヤーへ一斉に報知することができる。
【００４６】
また、前記親機無線通信部が、拍を指示する信号に該親機のＩＤ情報を加えて発信し、一方前記子機無線通信部が受信した情報から発信源のＩＤ情報を抽出し、該ＩＤ情報が通信相手としたい親機のＩＤ情報と一致する場合のみ拍が指示された旨を前記拍報知部に伝えるよう構成したので、指揮者とその指示を受けるものとの対応が容易に確立できる。
【００４７】
また、前記拍報知部が、ＬＣＤ表示やＬＥＤ表示等による視覚的表示や、音声による表示や、体感的表示のいずれか、またはこれらの任意の組み合わせで実現される構成としたことや、これら表示手段の表現の強さを調整するボリュームを有する構成としたことや、更に前記親機筐体と前記子機筐体が防水性を有する構成としたことにより、大編成での合奏や、プレーヤーに動きのあるマーチングバンド、シンクロナイズドスイミング等さまざまな状況で、確実に正確な拍の確認ができる。
【００４８】
また、前記親機が、ユーザが任意のタイミングで拍を入力する拍入力部と、一定周期のタイミングで拍を指示するため、その周期設定と、拍発生の開始及び停止の指示をする一定周期拍発生部と、前記拍入力部乃至前記一定周期拍発生部において拍が発生指示された事実を無線で送信する親機無線通信部と、前記拍入力部乃至前記一定周期拍発生部において拍が発生指示されたことを表示する拍発生表示部と、前記拍入力部と前記一定周期拍発生部と前記親機無線通信部と前記拍発生表示部を包含する親機筐体からなる構成としたことにより、指揮者は一定周期のタイミングで拍を同時に複数のプレーヤーへ一斉に報知することができる。更に、親機上では、指示している一定周期の拍を表示により確認できる。
【００４９】
また、前記子機が、前記親機無線通信部から発信された情報を受信する子機無線通信部と、一定周期のタイミングで拍を発生するため、その周期設定と、拍発生の開始及び停止の指示をする子機側一定周期拍発生指示部と、前記子機無線通信部乃至前記子機側一定周期拍発生指示部から拍が指示された事実を検知したことを知らせる情報を受けた時に、その事実を報知する拍報知部と、前記子機無線通信部と前記子機側一定周期拍発生指示部と前記拍報知部を包含する子機筐体からなる構成としたことにより、子機単体でも、所望の周期設定と拍発生の開始及び停止の指示をすれば、子機自身に一定周期のタイミングで拍の視覚的表示、音声による表示、体感的表示等をさせることができる。
【図面の簡単な説明】
【図１】本発明の同期拍報知システムのブロック図である。
【図２】本発明の同期拍報知システムの拍入力部を圧力センサと波形整形回路と波高弁別回路で構成した例を示す図である。
【図３】本発明の同期拍報知システムの親機無線通信部から送信される送信情報の例を示す図である。
【図４】本発明の同期拍報知システムの親機無線通信部及び子機無線通信部の概略ブロック図である。
【図５】本発明の同期拍報知システムの拍報知部をＬＣＤによる表示で実現した例を示す図である。
【図６】本発明の同期拍報知システムの拍報知部をＬＥＤによる表示で実現した例を示す図である。
【図７】本発明の同期拍報知システムの拍報知部を、電磁アクチュエータ等を用いて棒状の固体で、プレーヤーの皮膚を軽く叩く体感的方法で実現した例を示す図である。
【図８】本発明の同期拍報知システムの拍報知部を、バイブレーションモータの作り出す振動感覚を利用した体感的方法で実現した例を示す図である。
【図９】本発明の同期拍報知システムの親機が一定同期拍発生部を含む場合の構成を示す図である。
【図１０】本発明の同期拍報知システムの親機が拍発生表示部を含む場合の構成を示す図である。
【図１１】本発明の同期拍報知システムの子機が子機側一定同期拍発生指示部を含む場合の構成を示す図である。
【符号の説明】
１０１　拍入力部
１０２　親機無線通信部
１０３　親機筐体
１０４　子機無線通信部
１０５　拍報知部
１０６　子機筐体
【図１】
2004101726.tif 000003
【図２】
2004101726.tif 000004
【図３】
2004101726.tif 000005
【図４】
2004101726.tif 000006
【図５】
2004101726.tif 000007
【図６】
2004101726.tif 000008
【図７】
2004101726.tif 000009
【図８】
2004101726.tif 000010
【図９】
2004101726.tif 000011
【図１０】
2004101726.tif 000012
【図１１】
2004101726.tif 000013